(57)【要約】  携帯ビデオ保存・再生装置はビデオファイルをダウンロードし、保存し、再生できる。１例示的実施例では、ファイルは種々なフォーマットで再生できる。１実施例では、本発明は複数のビデオファイルを保存するディスクドライブを含む。プロセッサ１１０がディスクドライブ１１２にカップリングされ、ディスクに保存されたファイルを管理する。プロセッサはビデオファイルを保存、表示及びレトリーブできる。本発明はいくつかのインターフェースを含む。例えば、ＰＡＬ/ＮＴＳＣ、Ｓ−Ｖｉｄｅｏ及びＵＳＢであり、ビデオをダウンロードさせ、再生させる。本発明はビデオエンコーダ/デコーダ１１４を含む。例えば、ＭＰＥＧである。本発明の利点の１つは、持ち運べて、どこでも鑑賞できるように、いくつかのビデオファイルをコンパクトで携帯型の装置に保存させることである。  【選択図】  図１
2007512723.tif 000002
【特許請求の範囲】
【請求項１】
ビデオ保存・再生装置であって、
複数のビデオファイルを保存するように設計された保存媒体と、
ビデオデータを通信するように設計された複数のインターフェースポートと、
ビデオデータを暗号化及び解読させるように設計されたビデオエンコーダ/デコーダと、
前記保存媒体、前記複数のインターフェースポート及び前記ビデオエンコーダ/デコーダにカップリングされ、前記ビデオファイルを管理するように設計されたプロセッサと、
を含んでいることを特徴とするビデオ保存・再生装置。
【請求項２】
プロセッサは、ビデオファイルを保存、表示及びレトリーブすることでビデオファイルを管理するように設計されていることを特徴とする請求項１記載のビデオ保存・再生装置。
【請求項３】
インターフェースポートの１つにカップリングするように設計されたキーであって、サーバにビデオファイルを暗号化させ、装置にビデオファイルを解読させる    ための情報を含んだキーをさらに含んでいることを特徴とする請求項２記載のビデオ保存・再生装置。
【請求項４】
サーバからビデオファイルをダウンロードし、ビデオファイルへのアクセスを装置に提供するように設計されたキオスクをさらに含んでいることを特徴とする請求項１記載のビデオ保存・再生装置。
【請求項５】
ビデオサーバはキーと関係する情報を活用して契約者を特定するように設計されていることを特徴とする請求項２記載のビデオ保存・再生装置。
【請求項６】
請求サーバは装置がダウンロードしたビデオファイルの料金を請求するように設計されていることを特徴とする請求項１記載のビデオ保存・再生装置。
【請求項７】
ビデオ保存・再生装置で利用されるビデオキオスクであって、
複数のビデオファイルを保存するように設計された保存媒体と、
中央ビデオサーバと通信し、中央ビデオサーバからビデオデータをダウンロードするように設計されたインターフェースポートと、
ビデオ保存・再生装置とビデオデータを通信するように設計された少なくとも１つのインターフェースポートと、
前記保存媒体と前記インターフェースポートにカップリングされ、該保存媒体と該インターフェースポートを選択的に制御するように設計されたプロセッサと、
前記ビデオ保存・再生装置と関係する承認コードに少なくとも部分的に基づいてビデオデータを暗号化するように設計されたビデオエンコーダ/デコーダと、
を含んでいることを特徴とするビデオキオスク。
【請求項８】
プロセッサは、ビデオファイルを保存、表示及びレトリーブすることでビデオファイルを管理するように設計されており、
該プロセッサは、契約データに少なくとも部分的に基づいて、中央サーバにデータを通信し、ビデオ保存・再生装置へのビデオデータの分配を選択的に承認することでビデオ保存・再生装置を確認するように設計されている、
ことを特徴とする請求項７記載のビデオキオスク。
【請求項９】
ビデオサーバはキーと関係する情報を活用して契約者を特定するように設計されていることを特徴とする請求項８記載のビデオキオスク。
【請求項１０】
装置でダウンロードされたビデオファイルの料金を請求するように設計された請求サーバをさらに含んでいることを特徴とする請求項７記載のビデオキオスク。
【請求項１１】
装置でダウンロードされたビデオファイルの料金を請求するように設計された請求サーバをさらに含んでいることを特徴とする請求項８記載のビデオキオスク。
【請求項１２】
ビデオ保存・再生装置で利用されるドッキングステーションであって、
ビデオ保存・再生装置及び表示装置とビデオデータを通信するように設計された複数のインターフェースポートと、
ビデオデータの解読を承認するように設計された確認装置と、
を含んでいることを特徴とするドッキングステーション。
【請求項１３】
ビデオファイルを保存、表示及びレトリーブすることでビデオファイルを管理するように設計されたプロセッサを含んでいることを特徴とする請求項１２記載のドッキングステーション。
【請求項１４】
インターフェースポートの１つにカップリングするように設計されたキーであって、サーバにビデオファイルを暗号化させ、装置にビデオファイルを解読させるための情報を含んだキーをさらに含んでいることを特徴とする請求項１２記載のドッキングステーション。
【請求項１５】
キーと関係する情報を活用して契約者を特定するように設計されているビデオサーバを含んでいることを特徴とする請求項１３記載のドッキングステーション。
【発明の詳細な説明】
【技術分野】
【０００１】
本発明は携帯ビデオ保存・再生装置の分野に関する。
【背景技術】
【０００２】
＜関連出願＞
本願は２００４年７月９日出願の米国仮出願６０/５８６８２７と２００３年９月２４日出願の６０/５０６０８８の優先権を主張する。
＜背景＞
従来のビデオ保存装置はビデオテープとデジタルビデオディスクを含んでいる。これら媒体は比較的に嵩張るが、家庭でのごとき固定的な利用では問題はなかった。しかし、運搬性に対する要求が高まり、異なる場所での利用が要望されるに従って、ユーザは複数のビデオテープやＤＶＤを持ち運ばねばならなくなったが、それら媒体は店頭で購入したりメールオーダーしなくてはならず不便であった。
【発明の開示】
【発明が解決しようとする課題】
【０００３】
従って、多数のビデオファイルがダウンロード可能で、保存でき、再生できるコンパクトで持ち運びが容易なビデオ保存・再生装置の需要が高まった。
【課題を解決するための手段】
【０００４】
本発明は携帯ビデオ録画・再生装置に関する。本発明はビデオファイルをダウンロードし、保存し、再生させる。１実施例においては、ファイルはいくつかの異なるフォーマットで再生できる。
【０００５】
１実施例においては、本発明は複数のビデオファイルを保存するディスクドライブを含んでいる。プロセッサがディスクドライブにカップリングされ、ディスクに保存されたファイルを管理するように設計されており、ビデオファイルを保存、表示及びリトリーブする能力を有する。本発明はいくつかのインターフェースを含ませる。例えば、ＰＡＬ/ＮＴＳＣ、Ｓ−Ｖｉｄｅｏ及びＵＳＢであり、ビデオをダウンロードさせ、これらフォーマットやプロトコールで再生させる。本発明はまたビデオエンコーダ/デコーダも含む。例えば、ＭＰＥＧ用のものである。
【０００６】
本発明はいくつもものビデオファイルを保存する能力を有する。ファイルは承認属性と関連付けることができる。１実施例において、本発明は安全確認キーを有し、著作物を保護し、著作物の未承認利用を阻止する。この保護機構はユーザのプライバシーをも保護することができる。なぜなら、ビデオファイル属性は、キーが装置とカップリングされたときだけビデオを再生するように設計できるからである。
【０００７】
本発明の利点は、都合のいい場所へ運搬して鑑賞することができるコンパクトな携帯装置に多数のビデオファイルを保存させる能力を有することである。
【発明を実施するための最良の形態】
【０００８】
本発明を特定の装置と実施例を利用して解説する。
【０００９】
本発明は一般的に携帯ビデオ保存・再生装置に関する。本発明はビデオファイルをダウンロードし、保存し、再生できる。１実施例において、ファイルはいくつかの異なるフォーマットで再生できる。
【００１０】
Ａ．装置レイアイト
１実施例において、本発明は複数のビデオファイルを保存するディスクドライブ１１２を含んでいる。プロセッサ１１０はディスクドライブ１１２にカップリングされ、ディスクに保存されたファイルを管理するように設計されており、ビデオファイルを保存、表示及びリトリーブすることができる。本発明はいくつかのインターフェースを含む。例えば、ＰＡＬ/ＮＴＳＣ１１６、Ｓ−Ｖｉｄｅｏ１１８（例：デジタルビデオ）及びＵＳＢ１２０−１２２（好適には２．０）であり、それらのフォーマットまたはプロトコールでビデオをダウンロードして再生させる。本発明はビデオエンコーダ/デコーダ１１４を含む。１好適例ではＭＰＥＧエンコーダ/デコーダである。例えばＩＥＥＥ８０２．１１プロトコールを使用した無線インターフェース１３０が、他の無線ローカルエリアネットワークコンポーネントとのインターフェースに使用され、以下で解説するごとくキオスクとのインターフェースに使用することができる。リモートコントロールインターフェース１３２が機能のリモコンのために提供される。さらに、オプションでドッキングインターフェース１３４が以下で解説するようにドッキングステーションへのカップリングに使用される。
【００１１】
本発明はＰＡＬ/ＮＴＳＣ及びＳ−Ｖｉｄｅｏのごとき標準ビデオ出力部を含むので、本発明はテレビジョンやモニターに直接的に差し込むことができる。本発明は、コンピュータモニターで表示させるためにコンピュータと通信できるＵＢＳポートも含む。好適には、ＵＳＢポートはＵＳＢ２．０であり、ビデオのサポートには充分な速度を有する。過去、現在及び未来のインターフェースと接続できる他のインターフェースも可能である。１例は、Ｆｉｒｅ−Ｗｉｒｅであり、本発明に利用が可能である。
【００１２】
本発明はいくつかのビデオファイルを保存する能力を提供する。それらファイルは承認属性と関連させられる。１実施例においては、本発明は安全確認キーを有し、著作物を保護し、著作物の非承認利用を防止する。この保護機構はユーザプライバシーをも保護する。なぜなら、ビデオファイル属性は、キーが装置とカップリングされたときのみビデオ再生できるようにセットできるからである。
【００１３】
本発明の１つの特徴によれば、保護承認はハードウェアキーで実行され、装置にカップリングされて、ビデオファイルの再生を許可し、デジタル権利管理（ＤＲＭ）の機能を実行する。例えば、これは特定キー（例：ＭＡＣアドレス）を備えたＵＳＢキー装置１２４でもよい。または、以下で解説する暗号キーを備えたＳＩＭカードでよい。ビデオプレーヤは、キーが装置にカップリングされて承認されたときだけビデオを再生する。ＵＳＢキーが示されているが、本発明ではどのようなキーでも利用できる。装置内蔵キーでもよい。本発明の１特徴によれば、ビデオはキー情報で暗号化され、キーを備えた装置のみがそのビデオ情報を解読できる。キーとしてＵＳＢメモリ装置を使用した１つの興味深い特徴は、ＵＳＢメモリ装置が、通常はデータ保存の価値を損ねる欠陥を含む可能性があること、並びにＵＳＢキーがビデオファイルの保存に使用できることである。ビデオファイルは完璧である必要はないので、不完全ＵＳＢ装置でも充分な性能のビデオデータ保存装置を提供する。
【００１４】
暗号化装置は有用である。なぜなら、ビデオヘッダーは少なくともキー１２４の一部にダウンロード時間で発生させることができるからである。そうすればビデオデータはキーのみで解読して鑑賞できるだけとなる。これでハードウェア指定のデジタル権利管理特徴が提供され、そのコンテンツの不正コピーと不正再生が防止される。本発明の１つの特徴によれば、ヘッダーは特定装置１００に関連する装置ＩＤをも含む。特定のＩＤ属性を含んだ装置１００であれば、ビデオサーバと通信し、ビデオコンテンツをダウンロードするのにネットワークで利用できる承認済み装置としての資格が与えられる。
【００１５】
いくつかの可能な契約タイプが存在するので、装置１００はビデオヘッダーを修正して、契約に基づく規制を充足させることができる。例えば、もしユーザが特定ビデオファイルを３回鑑賞することができるなら、ヘッダーはビデオが鑑賞されるごとに修正できる。ビデオが最大回数鑑賞されると、ビデオは契約属性の変更なしではそれ以上鑑賞することができなくなる。
【００１６】
上述のインターフェースに加えて、本発明はデジタル写真、ビデオクリップまたはフラッシュメモリに保存された他のファイルをアップロードするのに利用できるフラッシュメモリインターフェースを含む。同様に、本発明は他の装置で使用させるようにフラッシュメモリに情報を保存することもできる。
【００１７】
図２Ａと図２Ｂは本発明の例示的実施例であり、集積型ビデオ表示装置を含む。図２Ａは装置に内蔵されたビデオ表示装置２２０と、表示装置の下側に提供された制御ボタン２３０を図示する。図２Ｂは上方に開くタイプのビデオ表示装置２７０と、露出された制御ボタン２８０を図示する。
【００１８】
電力は内蔵バッテリまたは外部バッテリで提供できる。あるいは標準電源コンセントから供給できる。前述したように、本発明はテレビ、コンピュータモニターまたは他の表示装置に連結できる。本発明の１特徴によれば、この装置はビデオプレーヤまたはＤＶＤプレーヤにカップリングでき、ビデオをディスク１１２に記録できる。本発明の別な特徴によれば、ビデオはＵＳＢポートに接続されたコンピュータを使用してディスク１１２にダウンロードできる。
【００１９】
Ｂ．サーバ及びキオスク形態
装置１００はインターネットサーバまたはキオスクと共に使用可能である。インターネットサーバの場合には、装置はインターネットを介してＩＤデータやダウンロードコンテンツを伝達する。ＩＤデータは、例えば、契約者ＩＤ情報、契約タイプ等々の情報である。装置が承認され、ユーザの信用が確立されるとリクエストされたコンテンツは装置にダウンロードされる。キオスクの場合にも装置の通信は同様であるが、キオスクは、装置に素早く伝達できるローカル保存媒体に保存されたコンテンツを有することができる。例えば、装置はキオスクと近接し、またはキオスクに接続され、キオスクと装置１００との間で高バンド幅の通信を行うことができる。
【００２０】
図３Ａから図３Ｃは本発明の１実施例によるオンラインビデオサーバとユーザコンピュータを示す。この実施例では、ユーザはネットワークブラウザ（例：インターネットブラウザ）を開き、ダウンロード用にファイルされたビデオを有するウェブサイトを開く。図３Ａはビデオファイルのダウンロード技術を示す例示的スクリーン３００である。図３Ｂはネットワークを介して、ファイルを保存し、ダウンロード可能にする例示的ネットワークサーバ３５０である。
【００２１】
図３Ｃはユーザコンピュータ３５０を示す。これには装置１００が接続でき、ビデオサーバー３３０からビデオファイルをダウンロードする。その場合、ダウンロード中に装置にキーをカップリングさせてユーザを確認し、キーが装置にカップリングされたときのみに再生を実行させるコードを創出する。ユーザは各ビデオを個別に購入したり、所定数のビデオをいつでも観られるように契約を結ぶことができる。例えば、もしユーザが５つのビデオを契約すると、サーバはユーザに関するキー情報を保存し、ソフトウェアはそのユーザのみに関連するキーがその数のビデオを有することを保証し、ビデオが装置から消去されたことを装置が確認するまで追加ビデオのダウンロードを拒絶する。このようにユーザは契約によって制約される。
【００２２】
図４は本発明の１実施例によるキオスク４１０を示す。これはインターネットを介してビデオサーバ３３０に接続されている。キオスクは、ユーザによる選択とビデオ装置への迅速ダウンロードのために表示装置４１２に保存されたビデオコンテンツを表示する。キオスク４１０はインターネットインターフェース４１４を介してサーバから定期的にビデオコンテンツをダウンロードし、高速ローカルインターフェース４１６と４１８を介してコンテンツをユーザに利用可能にする。これは物理的ソケットまたは無線ＬＡＮ通信用のアンテナでよい。従来のインターネット接続は典型的には１Ｍビット/秒以下であるので、ビデオのダウンロードには時間を要した。しかし、ローカルインターフェース４１６は１０から１００Ｍビット/秒の範囲であるため、ずっと速いローカルダウンロードを可能にする。ローカルインターフェース４１６とソケット４１７はＥｔｈｅｒｎｅｔ（登録商標）、ＵＳＢ、ＦｉｒｅＷｉｒｅ、等でよい。
【００２３】
キオスクはいくつかの理由で有用である。例えば、ユーザはキオスクと通信し、ダウンロード中にビデオを鑑賞することができ、及び/又は契約属性を変更できる。ユーザは全体的な契約属性を決定したり、それぞれのビデオファイルごとに契約属性を決定できる。これら属性には再生回数、レンタル時間、レンタル費用制限、購入等々がある。
【００２４】
キオスクは無ヘッダーファイルとしてビデオを保存する。このビデオデータは有効なヘッダーファイル無しでは再生できず、キオスクに他人が無断で侵入してビデオコンテンツを不法コピーすることを困難にする。事実、ヘッダーはダウンロード時間に発生され、部分的に装置ＩＤとユーザの安全確認キーに基づき発生される。これはデジタル権利管理（ＤＲＭ）キーとも呼称される。
【００２５】
キオスクはコントロール層として作用し、ディストリビューション層としてのみではない。キオスクは中央サーバと通信する管理及び請求センターを含み、契約更新やビデオのダウンロード等の取引を実行する。
【００２６】
Ｃ．操作  
図５Ａと図５Ｂは本発明の１実施例のフローチャートである。図５Ａはビデオコンテンツをダウンロードする技術を示し、図５Ｂはビデオコンテンツを再生する技術を示す。
【００２７】
図５Ａのステップ５１０はダウンロードプロセスを開始させる。ステップ５１２はパスワード、ＩＤキー等の技術でユーザを確認する。ステップ５１４でユーザは利用可能なタイトルを検索し、ダウンロード用に特定する。ステップ５１６でユーザはダウンロードをリクエストする。ステップ５１８で本発明は契約のダウンロード制限をチェックする。もし契約が制限内であればダウンロードはステップ５２０で承認される。ステップ５２２ではビデオコンテンツはダウンロード前に契約者キー情報で暗号化される。もし、ダウンロードがステップ５２０で承認されなければ、契約者はステップ５２４で新規のダウンロードを契約するか否かを決定する。もし契約者が限定数のビデオを有するなら、契約者はダウンロードされたファイルを削除し、新ファイルのダウンドードを承認させる。もし、契約者が契約更新等を希望しなければプロセスはステップ５２６で終了する。
【００２８】
図５Ｂのステップ５６０は再生プロセスを開始する。ステップ５６２はユーザのキーをチェックし、ビデオを再生する権利の如何をチェックする。キーが正しければステップ５６４はビデオを解読して再生させる。キーが正しくなければ、ステップ５６６は解読と再生を拒絶する。本発明の１特徴では、ビデオはキーに関係する情報で暗号化され、再生のためにはキーを装置にカップリングしなければならない。
【００２９】
Ｄ．請求管理
ビデオダウンロード及び/又は契約は他のサービスと共に統一的に管理される。例えば、インターネットサービスプロバイダー（ＩＳＰ）は本発明のビデオサービスを希望し、インターネットアクセス料と共に料金を請求することができる。ＩＳＰは契約者を調べ、ダウンロードをモニターするのに本発明を採用する。
【００３０】
Ｅ．ドッキングステーション
図６Ａは本発明の１実施例によるドッキングステーション５２０を図示する。ドッキングステーションはクレイドル５２２、デバイスインターフェース５２４及びビデオアウトプット５２６を含んでいる。ドッキングステーションは装置１００のクレイドルを提供し、例えば、テレビやコンピュータモニター等の外部表示装置とカップリングさせる。ドッキングステーションクレイドルは装置１００に電力をも供給し、装置を起動させるか装置の電池を充電する。図６Ｂは電力インプット５２８を含んだドッキングステーションのインターフェースパネルを示す。
【００３１】
図６Ｂで示す１実施例ではドッキングステーションはインターネットインターフェース５３５を含む。この追加インターフェースは装置１００にビデオサーバと接続させ、ビデオデータを装置１００にダウンロードさせる。
【００３２】
図６Ｃで示す別実施例では、ドッキングステーションはビデオインプットインターフェース５４７を含む。このインターフェースは装置１００にビデオインプットから直接的にビデオを記録し、以下のように記録モードを提供する。
【００３３】
ドッキングステーションは追加のモードも想定した３つの例示モードにより操作されるように設計できる。
【００３４】
１．標準再生モード
標準再生モードはビデオ保存・再生装置１００に保存されたビデオデータの再生に関与する。コンテンツの再生の制御装置は装置１００に搭載され、あるいは制御は装置１００またはドッキングステーションと通信する遠隔操作で命令される。
【００３５】
２．プッシュモード
インターネットインターフェース５２２を使用して、装置は夜間等のピーク時ではない時間帯にビデオコンテンツをダウンロードできる。ビデオコンテンツは、ユーザが装置をドッキングステーションから取り外し、コンテンツを装置で鑑賞するかドッキングステーションで鑑賞渉可能である。
【００３６】
３．記録モード
別のモードは記録モードであり、ユーザがプログラム鑑賞中にビデオを保存し、入ってくるビデオストリームを記録しながらユーザは休憩したり、ビデオの一部を鑑賞することができる。
【００３７】
Ｆ．追加ＤＲＭ特徴
１．定義
デジタル権利管理（ＤＲＭ）は、安全な提供を可能にし、及び/又は不法なデータ提供を不能にすることでインターネットまたは他のデジタルメディアを介して頒布されているデータの著作権を保護するシステムである。典型的には、ＤＲＭシステムは、データを暗号化し、承認されたユーザのみにアクセスさせるか、あるいは、コンテンツにデジタル透かし等で処理して自由なアクセスを不能にすることで知的財産を保護する。
【００３８】
契約者情報モジュール（ＳＩＭ）は、例えば、携帯ＧＳＭ型電話で使用されているもののごとき小型で切手サイズのスマートカードである。ＳＩＭカードはマイクロチップを含んでおり、ネットワークサービスプロバイダーへの接触者を特定するデータを保存する。本発明では、ＳＩＭはネットワークユーザを特定し、オプションでＤＲＭによってコンテンツをロックし、暗号化する。
【００３９】
ＳＩＭスティックはＰＣまたは他の装置にＵＳＢ、シリアルポートあるいは他のインターフェース等の標準インターフェースを解して接続できるＳＩＭである。
【００４０】
キーチェインドライブまたはＵＳＢドライブ、フラッシュドライブ、ディスクオンキーとも呼ばれる着脱式メモリ装置（ＲＭＤ）は、プラグアンドプレー式の携帯用保存装置であり、フラッシュメモリやミニチュアディスクドライブを使用し、軽量であり、キーチェインに取り付けたり、ポケット内で運搬できる。ＲＭＤはフロッピー（登録商標）ディスク、ジップドライブディスク、あるいはＣＤの代わりに使用できる。ユーザがＲＭＤをコンピュータのＵＳＢポートに接続すると、操作システムはその装置を着脱ドライブとして認識する。たいていの着脱式ドライブとは異なり、キーチェインドライブは取り付け後の再立ち上げを必要とせず、バッテリーや外部電力源を必要とせず、プラットフォーム独立形態である。いくつかのキーチェインドライブ製造業者はパスワード保護や、ＵＳＢポートを有しない旧システムとキーチェインドライブを両立させるダウンロード可能なドライバー等の追加特徴を提供する。
【００４１】
２．ＤＲＭの働き
ＤＲＭは、暗号化し、コンテンツの利用法を解説するファイルのヘッダーを含むことでコンテンツを保護する。１例として、使用法は(a)コンテンツの鑑賞回数または再生回数の規制、(b)コンテンツに有効期間を設定、または(c)コンテンツ購買または永久ライセンス等による非拘束状態の提供である。
【００４２】
ＤＲＭで保護したコンテンツはキーを使用してロックされる。キーはしばしばユーザネーム及びパスワードあるいはユーザネーム及び装置ＩＤに関係する。ユーザネーム及びパスワードでロックされるとき、ＤＲＭは、ユーザネーム及びパスワードを確認し、使用法を確認するためにインターネットへの接続を必要とする。これはＤＲＭ保護のオンラインモードであると考えられる。コンテンツ鑑賞者は確認のためにインターネットでどのように操作すべきか知る必要がある。
【００４３】
あるいは、ＤＲＭはオフラインまたは埋め込みデバイスモードで使用できる。このモードでは、装置はそれ自身のユーザ確認及びコンテンツ表示方法を提供し、インターネットに接続する必要はない。このモードではコンテンツは装置にロックされ、その装置でのみ利用できる。
【００４４】
オフラインモードでは、どこで鑑賞するかの情報を含んだファイルに関する情報は、装置の保護領域に保存される。保護領域が装置のユーザにはアクセスできないことを保証することは装置メーカーの責務である。この情報は鑑賞者アプリケーションで使用され、開く前にファイルに対するＤＲＭ法を確認させる。
【００４５】
３．ＳＩＭスティック利用ＩＤ
本発明のネットワークでＳＩＭスティックは２つの目的を有する。サービス料金請求目的でネットワークのユーザを特定するのに使用でき、オプションでは、ＤＲＭ保護コンテンツが連結されている装置の識別に使用できる。
【００４６】
ユーザの特定に使用されるとき、例えば標準ＧＳＭ  Ａ３確認技術が使用され、詐欺を防止する。Ａ３アルゴリズムがＧＳＭネットワークで使用され、ＧＳＭ携帯電話を確認する。ＧＳＭ  Ａ３アルゴリズムは一方通行機能であり、ＳＩＭで利用される。本発明ネットワークはこの目的で確認センターを含む。
【００４７】
しかし、ＳＩＭは装置のＩＤをオフラインモードのＤＲＭ保護コンテンツに提供するのにも利用が可能である。この場合、ＳＩＭ装置のＩＤはコンテンツのロックに使用され、ＤＲＭ保護ファイルに関する情報はＳＩＭに保存される。ＳＩＭをロッキング装置として使用できることを知り、ＤＲＭの扱いを知る特殊鑑賞アプリケーションで使用すると、オフラインモードであってもコンテンツは装置間で移動できる。この例では、全ての装置が特殊鑑賞アプリケーションを使用し、インターネットからダウンロードできることが１つの条件である。
【００４８】
４．組み合わせＳＩＭ及び着脱式メモリ装置（キー）を介した提供
ＳＩＭがキー内のＵＳＢフラッシュディスクのごとき着脱式メモリ装置と組み合わされると、ユーザはＳＩＭスティックと、ＤＲＭ保護コンテンツをそこにダウンロードできる着脱装置の前記能力を有する。
【００４９】
本発明のキオスクネットワークを使用して、ユーザは組み合わされたＳＩＭと着脱式メモリ装置を、例えば、標準ＵＳＢ２ポートに挿入する。このネットワークはユーザＩＤをＳＩＭで確認し、コンテンツをＳＩＭ装置ＩＤにロックし、ロックされたコンテンツをキーＰＯＤのメモリにダウンロードする。ユーザはＤＲＭ保護コンテンツを移動させる便利な方法を有し、オフラインモードにてそれを種々な装置で再生できる。
【００５０】
５．着脱式メモリ装置による提供
着脱式メモリ装置内にＳＩＭがない場合でも、本発明のネットワークはＤＲＭ保護コンテンツをメモリ装置にダウンロードできる。この場合、ＤＲＭヘッダー情報はコンテンツファイルから抜けている。
【００５１】
本発明のネットワークユーザがコンテンツの再生を決意すると、インターネットに接続してヘッダー情報を入手するためにビデオサーバに接触しなければならない。ユーザはこのときまでコンテンツの利用法を決定する必要はない。コンテンツの利用法に基づいて、本発明のネットワークはユーザに料金請求し、ＤＲＭヘッダーを構築する。例えば、ユーザはコンテンツを３度鑑賞することを願うかも知れない。あるいは５日間の鑑賞を願うかも知れない。あるいは、ユーザは別の利用できるＤＲＭ法を選択するかも知れない。ヘッダー情報がユーザにダウンロードされると、コンテンツはオフラインモードで鑑賞できる。いかにコンテンツを購入及び/又は使用するかの決定を引き延ばす能力はオフラインモードではユニークである。
【００５２】
加えて、ファイルをコピーして他人に送れる。しかし、他のユーザはビデオサーバに接触して承認を得るまでコンテンツを鑑賞することはできない。
【００５３】
Ｇ．結論
本発明の利点は、いくつかのビデオファイルをコンパクトな携帯装置に保存させ、持ち運ばせることである。
【００５４】
以上、例示的な実施例を解説した。それらの改良や改変は本発明の範囲内で可能である。
【図面の簡単な説明】
【００５５】
本発明を以下の図面を利用して解説する。
【図１】図１は本発明の１実施例によるビデオ保存・再生装置のレイアウト図である。
【図２Ａ】図２Ａは本発明の実施例の概略図である。
【図２Ｂ】図２Ｂも本発明の実施例の概略図である。
【図３Ａ】図３Ａは、図３Ａから図３Ｃに示す本発明の１実施例によるオンラインビデオサーバとユーザコンピュータのレイアウト図の１つである。
【図３Ｂ】図３Ｂも、図３Ａ同様に、本発明の１実施例によるオンラインビデオサーバとユーザコンピュータのレイアウト図の１つである。
【図３Ｃ】図３Ｃも、図３Ａ同様に、本発明の１実施例によるオンラインビデオサーバとユーザコンピュータのレイアウト図の１つである。
【図４】図４は本発明の１実施例によるキオスクを図示する。
【図５Ａ】図５Ａは本発明の１実施例のフローチャートである。
【図５Ｂ】図５Ｂも本発明の１実施例のフローチャートである。
【図６Ａ】図６Ａは、図６Ａから図６Ｃに示す本発明の実施例によるドッキングステーションの図の１つである。
【図６Ｂ】図６Ｂも、図６Ａ同様に、本発明の実施例によるドッキングステーションの図の１つである。
【図６Ｃ】図６Ｃも、図６Ａ同様に、本発明の実施例によるドッキングステーションの図の１つである。
【図１】
2007512723.tif 000003
【図２Ａ】
2007512723.tif 000004
【図２Ｂ】
2007512723.tif 000005
【図３Ａ】
2007512723.tif 000006
【図３Ｂ】
2007512723.tif 000007
【図３Ｃ】
2007512723.tif 000008
【図４】
2007512723.tif 000009
【図５Ａ】
2007512723.tif 000010
【図５Ｂ】
2007512723.tif 000011
【図６Ａ】
2007512723.tif 000012
【図６Ｂ】
2007512723.tif 000013
【図６Ｃ】
2007512723.tif 000014
【国際調査報告】
2007512723.tif 000015